(57)【特許請求の範囲】
【請求項１】
重りリングを有するマイク本体部が振動吸収機能を有するダンパー部材を備えたマイク保持体に挿着され、このマイク保持体が上記ダンパー部材を介して電子機器本体部に支持されるようにした内蔵形のマイクロホン機構において、
上記マイク保持体の前後部に上記重りリング及び上記マイク本体部の抜出し防止用の抜止め壁と、
上記ダンパー部材の外周端部にフランジ部と、を備え、
上記マイク保持体の一方側の抜止め壁に、該抜止め壁の捲り上げを容易にするスリット溝を形成し、
上記フランジ部が上記電子機器本体部と保持部材とで挟み付けられて固定され、上記電子機器本体部内外の気密性を保持した構成としたことを特徴とするマイクロホン機構。
【発明の詳細な説明】
【０００１】
【発明の属する技術分野】
本発明は、例えばビデオカメラ装置等の電子機器内に内蔵されるマイクロホン機構に関し、詳しくは、マイクロホンの周波数特性を向上すると共に、組立て性を容易にし小型化、かつ低コスト化を可能にしたものである。
【０００２】
【従来の技術】
従来、ビデオカメラ装置等に内蔵されるマイクロホン機構において、例えばビデオ機構部のモータの回転駆動あるいはテープリールやヘッドドラムの回転に伴って発生する振動が機器本体部あるいはキャビネット等からマイクロホン本体部（以下、単にマイク本体部という）に伝わるのを防止するため、マイク本体部は振動を吸収する機能を有するダンパーを備えたゴム製のマイク保持体を介して機器本体部に支持するようにしたものがある。
【０００３】
また、この種マイク本体部の周りに重りリングを備えることでダンパーによる振動の吸収作用を高めるようにしており、マイク本体部と重りリングがマイク保持体に保持されてマイクユニットを構成している。
【０００４】
【発明が解決しようとする課題】
しかしながら、上述したマイクユニットは、重りリングをマイク本体部に直接カシメ固定している場合では、マイク特性が低下するといった問題がある。
【０００５】
また、従来ではマイク本体部及び重りリングがマイク保持体からの抜け出しを防止するために接着剤等で固定している。
【０００６】
このように構成した従来のマイクユニットの構造においては、機器本体部からマイク保持体に伝わる振動が数ＫHZの帯域にまで達する振動ノイズとなってマイクユニットに伝達される。この結果、マイクのＳ／Ｎ比の悪化が発生し性能の低い内蔵マイクとなっていた。
【０００７】
本発明は、上述したような課題を解消するためになされたもので、マイクの周波数特性を向上すると共に、組立て性を容易にし小型化が図れ、高性能の内蔵マイクとなるマイクロホン機構を得ることを目的とする。
【０００８】
【課題を解決するための手段】
上述の目的を達成するため、本発明によるマイクロホン機構は、重りリングを有するマイク本体部が振動吸収機能を有するダンパー部材を備えたマイク保持体に挿着され、このマイク保持体がダンパー部材を介して電子機器本体部に支持されるようにした内蔵形のマイクロホン機構において、マイク保持体の前後部に上記重りリング及びマイク本体部の抜出し防止用の抜止め壁と、ダンパー部材の外周端部にフランジ部と、を備え、マイク保持体の一方側の抜止め壁に、この抜止め壁の捲り上げを容易にするスリット溝を形成し、フランジ部が電子機器本体部と保持部材とで挟み付けられて固定され、電子機器本体部内外の気密性を保持するようにしたものである。
【０００９】
【発明の実施の形態】
本発明によるマイクロホン機構の実施の形態をビデオカメラ装置の内蔵マイクに適用した例をとって図面を参照して説明する。
【００１０】
図１はビデオカメラ装置の外観斜視図であり、ビデオカメラ本体部１の前面部にフロントキャビネット２を有し、このフロントキャビネット２にマイク部３が配置されている。尚、フロントキャビネット２の上部に撮影レンズ部４があり、ビデオカメラ本体部１側にビューファインダー５が配置されている。
【００１１】
図２はマイクロホン機構の分解状態の斜視図であり、図３はマイクロホン機構の組立て状態の拡大断面図である。
【００１２】
マイクユニットは符号６で示し、本例では横並びに一対備えられ、一方のマイクユニット６を分離して示してある。マイクユニット６はカプセル状のマイク本体部７と、このマイク本体部７の外周面に挿着される例えば真鍮等からなる筒状の重りリング８と、マイク本体部７及び重りリング８が保持される柔軟なエラストマー等のゴム材製の筒状体からなるマイク保持体９から構成されている。
【００１３】
図３にマイクユニット６の組付け状態の断面図を示す。マイク保持体９の前側の外周面には薄肉状のダンパー部材１０が一体成形されている。ダンパー部材１０はマイク保持体９の外周を覆うように筒状にされ、外周端部に厚肉状のフランジ部１１が形成されている。
【００１４】
一方、マイク保持体９の前端部には中心に窓孔１２ａを有するフランジ状の抜止め壁１２が一体成形されている。また、マイク保持体９の後端部にも中心に比較的大きな開口部１３ａを有するフランジ状の抜止め壁１３が一体成形されている。さらに、抜止め壁１３の一部（この例では抜止め壁１３の対向側）に図４Ａに示すように２つのスリット溝１４が形成されている。
【００１５】
マイク保持体９内に重りリング８及びマイク本体部７の組付けは、まず、抜止め壁１３を捲り上げてマイク保持体９の内周面に重りリング８を挿着し、続いて、重りリング８内にマイク本体部７が挿入されたあと、捲り上げた抜止め壁１３を元の位置に戻すことによってマイクユニット６の組付けが完了する。また、上述したマイクユニット６は、抜止め壁１２の中心の窓孔１２ａがマイク本体部７の集音部となり、マイク本体部７のリード線７ａが抜止め壁１３の開口部１３ａから引き出される。
【００１６】
抜止め壁１３の捲り上げの作業は、スリット溝１４を形成することで捲り上げを容易に行うことができ、重りリング８及びマイク本体部７の挿着作業を迅速にすることができる。また、スリット溝１４の数を増やし図４Ｂに示すように例えば十文字状に形成することで、抜止め壁１３の捲り上げをさらに確実に行うことができる。
【００１７】
このように構成したマイクユニット６によれば、マイク保持体９内に挿着した重りリング８及びマイク本体部７は、その前端側においては抜止め壁１２によって抜け落ちることがなく、また、後端側においては抜止め壁１３によって抜け落ちることもなく、従って、マイク保持体９に対して重りリング８及びマイク本体部７を接着したり、カシメ固定することもなく安定して保持することができる。
【００１８】
次に、上述したマイクユニット６の取付け構造を図２及び図５を参照して説明する。
【００１９】
フロントキャビネット２にはマイク収納部１５が形成されている。このマイク収納部１５の底面には横並びの２つの孔部１５ａ，１５ａが開いており、孔部１５ａ，１５ａの間にねじ孔１５ｂがある。
【００２０】
マイクユニット６を前側から支持する保持部材であるマイクホルダー１６は、２つのマイクユニット６がそれぞれ収容される収容孔１６ａ，１６ａを有し、この収容孔１６ａ，１６ａの間にねじ孔１７ａが形成されたボス１７が突出している。そして、マイクホルダー１６の外側にマイクグリル１８が取付けられる。マイクグリル１８の内面にはスポンジ等のフィルタ１９が取り付けられ、このマイクグリル１８に設けた複数の係合片２０の係合孔２０ａをマイクホルダー１６の係合爪１６ｂに係止して固定される。
【００２１】
マイクユニット６の組付け手順は、まず、フロントキャビネット２のマイク収納部１５の孔部１５ａ，１５ａにマイク本体部７，７のそれぞれのリード線７ａ，７ａを通し、ダンパー部材１０の端部のフランジ部１１をマイク収納部１５の底面に位置決めする。このあと、マイクユニット６の前方からマイクグリル１８を取付けたマイクホルダー１６を、その収容孔１６ａ，１６ａ内にマイクユニット６，６をそれぞれ収容した状態でマイクホルダー１６の端部をダンパー部材１０のフランジ部１１に押し当てる。この状態においてフロントキャビネット２の内面側に、スポンジ等のクッションシート２１を取付けた止め板２２を位置決めし、ねじ孔２２ａに外側から通したねじ２３をフロントキャビネット２のねじ孔１７ａを貫通し、マイクホルダー１６のボス１７にねじ止めすることによって組付けが終了する。
【００２２】
すなわち、マイクユニット６はダンパー部材１０のフランジ部１１がフロントキャビネット２とマイクホルダー１６とで強く挟み付けられて支持され、マイク保持体９がダンパー部材１０に懸架された状態で保持される。これによって、ビデオカメラ本体部１側からフロントキャビネット２に伝わった振動は、ダンパー部材１０に効果的に吸収されマイク本体部７の振動による影響を軽減することができるようになっている。
【００２３】
また、ダンパー部材１０のフランジ部１１がフロントキャビネット２とマイクホルダー１６とで強く挟み付けられる取付け構造は、フロントキャビネット２の内方側、つまりビデオカメラ本体部１側とマイク集音部側との気密性を高めることができる。また、止め板２２の取付けにより、ビデオカメラ本体部１側からの音がマイク側へ侵入するのを防止することができる。
【００２４】
尚、図５において、マイク本体部７のリード線７ａは止め板２２のクッションシート２１の部分から引き出され、その端部に設けたコネクタ７ｂを図示しない回路基板に接続される。また、図２において止め板２２のクッションシート２１に形成されている凹部２１ａは、マイクユニット６の後部にクッションシート２１が接触しないようにするための凹みである。
【００２５】
以上のように本発明によるマイクロホン機構は、外部からの振動を吸収するダンパー機能を有するマイクユニット６において、マイク保持体９の両端部に抜止め壁１２，１３を設けたことで、接着やカシメ加工を行うことなくマイク保持体９内に挿着される重りリング８及びマイク本体部７の抜け落ちを防止することができる。また、抜止め壁１３に複数のスリット溝１４を形成したことで捲り上げを簡単に行うことができ、マイク保持体９内への重りリング８及びマイク本体部７の挿着の作業性も容易となる。
【００２６】
また、ダンパー部材１０に設けたフランジ部１１をフロントキャビネット２とマイクホルダー１６とで強く挟み付けてマイクユニット６を支持する取付け構造としたことで、フロントキャビネット２の内方側とマイク集音部側との気密性を高めることができる。従って、このようなことから、本発明のマイクロホン機構は内蔵方式に要求される周波数特性の向上を図ることができると共に、マイクユニットの組立て性を高め、かつ小型化及び低コスト化を実現することができる。
【００２７】
本発明は、上述しかつ図面に示した形態に限定されるものでなく、その要旨を逸脱しない範囲内で種々の変形実施が可能である。
【００２８】
図６はマイクユニット６の別の取付け構造を示した断面図である。これによれば、フロントキャビネット２の裏面側からマイクユニット６をマイク収納部２４内に収納した状態で、ダンパー部材１０のフランジ部１１をフロントキャビネット２の縁部２４ａに位置決めし、フロントキャビネット２の裏面側からフランジ部１１に保持部材である止め板２５を押し当て、図示しないねじで止め板２５をフロントキャビネット２に固定するようにしたものである。尚、上述した構成ではフロントキャビネット２のマイク収納部２４の前面はマイクグリル２６が取付けられ、マイク本体部７のリード線７ａは止め板２５に形成した孔からスポンジ材２５ａを介して引き出される。
【００２９】
このようなマイクロホン機構とすることで、図５に示したマイクロホン機構からマイクホルダー１６が不要となると共に、構成が極めてシンプルとなり組立て性を向上し、低コスト化が実現できる。
【００３０】
また、本発明によるマイクロホン機構はビデオカメラ装置の内蔵マイクに適用した場合について説明したが、その他、内蔵マイクが備えられる電子機器のマイクロホン機構に広く適用可能である。
【００３１】
【発明の効果】
以上説明したように本発明のマイクロホン機構は、マイク保持体に抜止め壁を設けるとともに、一方側の抜止め壁にスリット溝を形成したことで、その抜止め壁の捲り上げを容易に行うことができるとともに、接着やカシメ加工を行うことなくマイク保持体内に挿着される重りリング及びマイク本体部の抜け落ちを防止することができる。また、ダンパー部材に設けたフランジ部を電子機器本体と保持部材とで挟み付けて支持する取付け構造としたことで、電子機器本体の内方側とマイク集音部側との気密性を高めることができる。これによって、内蔵方式に要求される周波数特性の向上を図ることができ、マイクユニットの組立て性を高め、かつ小型化及び低コスト化を実現することができるといった効果がある。
【図面の簡単な説明】
【図１】ビデオカメラ装置の外観斜視図である。
【図２】本発明によるマイクロホン機構の分離状態の斜視図である。
【図３】マイクユニットの断面図である。
【図４】Ａ  マイク保持体の背面図である。Ｂ  マイク保持体の別の例の背面図である。
【図５】マイクロホン機構の組付け状態の断面図である。
【図６】マイクロホン機構の変形例の断面図である。
【符号の説明】
１  ビデオカメラ本体部、２  フロントキャビネット、６  マイクユニット、７  マイク本体部、８  重りリング、９  マイク保持体、１０  ダンパー部材、１１  フランジ部、１２，１３  抜止め壁、１６  マイクホルダー、１８  マイクグリル、２１  止め板
【図１】
0003736022.tif 000002
【図２】
0003736022.tif 000003
【図３】
0003736022.tif 000004
【図４】
0003736022.tif 000005
【図５】
0003736022.tif 000006
【図６】
0003736022.tif 000007